(57)【要約】      （修正有）【課題】挙式、披露宴といったブライダルイベントの動画販売業務を効率的に管理するブライダルイベント動画販売業務管理システム、ブライダルイベント動画販売業務管理方法及びブライダルイベント動画販売業務管理プログラムを提供する。【解決手段】ブライダルイベント動画販売業務管理システムにおいて、ブライダルイベント動画販売業者の管理サーバー１０は、受付処理制御手段Ｑ１がブライダルイベントの動画販売業務に関する動画販売業務情報を受け付けると、受け付けた動画販売業務情報をデータベースＤＢに保存し、データベースＤＢに保存した動画販売業務情報をブライダルイベントの動画販売業務に関して管理可能に処理し、処理した動画販売業務情報を出力する。【選択図】図２
2020106956.tif 000002
【特許請求の範囲】
【請求項１】
ブライダルイベントの動画販売業務に関する動画販売業務情報を受け付け、受け付けた前記動画販売業務情報をデータベースに保存し、前記データベースに保存した前記動画販売業務情報を前記ブライダルイベントの動画販売業務に関して管理可能に処理し、処理した前記動画販売業務情報を出力する管理サーバーを備えることを特徴とするブライダルイベント動画販売業務管理システム。
【請求項２】
請求項１に記載のブライダルイベント動画販売業務管理システムであって、
前記管理サーバーは、前記ブライダルイベントを撮影した動画データのダイジェスト版であるサンプル用動画データをインターネット上の動画共有の配信サービスを行う配信サーバーに顧客毎に視聴可能に連携させることを特徴とするブライダルイベント動画販売業務管理システム。
【請求項３】
請求項２に記載のブライダルイベント動画販売業務管理システムであって、
前記管理サーバーは、前記配信サーバーにおける前記サンプル用動画データを前記顧客に視聴させる視聴用ページを開くための視聴用ＵＲＬを顧客毎に生成することを特徴とするブライダルイベント動画販売業務管理システム。
【請求項４】
請求項３に記載のブライダルイベント動画販売業務管理システムであって、
前記配信サーバーにおける前記視聴用ページへのアクセスがＩＤ及びパスワードにより制限されており、
前記管理サーバーは、前記ＩＤ及び前記パスワードを生成し、生成した前記ＩＤ及び前記パスワードを出力することを特徴とするブライダルイベント動画販売業務管理システム。
【請求項５】
請求項４に記載のブライダルイベント動画販売業務管理システムであって、
前記管理サーバーは、前記パスワードを前記顧客の個人情報に基づいて生成することを特徴とするブライダルイベント動画販売業務管理システム。
【請求項６】
請求項２から請求項５までの何れか１つに記載のブライダルイベント動画販売業務管理システムであって、
前記管理サーバーは、前記サンプル用動画データが完成したことを通知する完成通知用メールを受け取るためのメールアドレスを受け付けることを特徴とするブライダルイベント動画販売業務管理システム。
【請求項７】
請求項１から請求項６までの何れか１つに記載のブライダルイベント動画販売業務管理システムであって、
前記管理サーバーは、前記ブライダルイベントを撮影するまでの撮影段階と、前記撮影段階から本編の動画データが購入されるまでの販売促進段階と、前記販売促進段階から本編の動画データが発送されるまでの製造段階とがこの順に進行する進捗状況を管理可能に処理することを特徴とするブライダルイベント動画販売業務管理システム。
【請求項８】
請求項１から請求項７までの何れか１つに記載のブライダルイベント動画販売業務管理システムであって、
前記動画販売業務情報は、前記ブライダルイベントの当日にカメラマンが行う業務の当日進捗状況を示すカメラマン当日業務進捗情報を含み、
前記管理サーバーは、前記カメラマン当日業務進捗情報を前記カメラマンの前記当日進捗状況に関して管理可能に処理し、処理した前記カメラマン当日業務進捗情報を出力することを特徴とするブライダルイベント動画販売業務管理システム。
【請求項９】
請求項１から請求項８までの何れか１つに記載のブライダルイベント動画販売業務管理システムであって、
前記動画販売業務情報は、前記ブライダルイベントの当日にカメラマンが行う業務の進捗状況を示すカメラマン当日業務進捗情報を含み、
前記管理サーバーは、前記カメラマン当日業務進捗情報に関して当日の複数の業務をそれぞれ完了したことを逐一連絡する連絡用ページを開くための連絡用ＵＲＬを生成し、生成した前記連絡用ＵＲＬを前記ブライダルイベントの日より前又は当日に前記カメラマンのメールアドレスに送信する当日連絡用メールに付加し、前記当日連絡用メールに付加された前記連絡用ＵＲＬで前記連絡用ページを開いて前記カメラマン当日業務進捗情報に関して当日の前記複数の業務をそれぞれ完了したことを逐一設定可能とされていることを特徴とするブライダルイベント動画販売業務管理システム。
【請求項１０】
ブライダルイベントの動画販売業務に関する動画販売業務情報を受け付ける受付処理制御ステップと、
前記受付処理制御ステップにて受け付けた前記動画販売業務情報をデータベースに保存する保存制御ステップと、
前記データベースに保存した前記動画販売業務情報を前記ブライダルイベントの動画販売業務に関して管理可能に処理する情報処理制御ステップと、
前記情報処理制御ステップにて処理した前記動画販売業務情報を出力する情報出力制御ステップと
を含むことを特徴とするブライダルイベント動画販売業務管理方法。
【請求項１１】
ブライダルイベントの動画販売業務に関する動画販売業務情報を受け付ける受付処理制御ステップと、
前記受付処理制御ステップにて受け付けた前記動画販売業務情報をデータベースに保存する保存制御ステップと、
前記データベースに保存した前記動画販売業務情報を前記ブライダルイベントの動画販売業務に関して管理可能に処理する情報処理制御ステップと、
前記情報処理制御ステップにて処理した前記動画販売業務情報を出力する情報出力制御ステップと
を含む各ステップを制御部に実行させることを特徴とするブライダルイベント動画販売業務管理プログラム。
【発明の詳細な説明】
【技術分野】
【０００１】
本発明は、挙式、披露宴といったブライダルイベントを撮影した動画データを販売する動画販売業務を管理するためのブライダルイベント動画販売業務管理システム、ブライダルイベント動画販売業務管理方法及びブライダルイベント動画販売業務管理プログラムに関する。
【背景技術】
【０００２】
挙式、披露宴といったブライダルに関するサービスを行うブライダルサービス事業者は、顧客（新郎、新婦）から挙式、披露宴といったブライダル関連の催しが委託されると、顧客の要望を基に、挙式会場の予約、披露宴会場（バンケット）の予約、挙式や披露宴での衣装、着付けの設定、披露宴での飲食の設定等の各種サービスを顧客に対して提供する。
【０００３】
ところで、ブライダルに関する各種サービスには、挙式、披露宴といったブライダルイベントの様子を撮影装置（デジタルビデオカメラ）で撮影した動画データを販売するブライダルイベント動画販売サービスも含まれる。そして、ブライダルイベント動画販売業者において、ブライダルイベントの動画販売業務（例えば撮影業務、販売促進業務、製造業務）に関して効率的に管理することが望まれている。
【０００４】
この点に関し、特許文献１は、結婚式場内で撮影した画像データを通信ネットワークに接続されたセンター側で所定時間内に編集・加工してリアルタイムに所定の配信先へ送信する結婚式情報配信システムを開示している。
【先行技術文献】
【特許文献】
【０００５】
【特許文献１】ＷＯ２００５／０６２２２１号公報
【発明の概要】
【発明が解決しようとする課題】
【０００６】
しかしながら、特許文献１に記載の結婚式情報配信システムは、結婚式場内で撮影した画像データ編集・加工してリアルタイムに所定の配信先へ配信するものであり、ブライダルイベントの動画販売業務に関して管理するものではない。
【０００７】
そこで、本発明は、挙式、披露宴といったブライダルイベントの動画販売業務に関して効率的に管理することができるブライダルイベント動画販売業務管理システム、ブライダルイベント動画販売業務管理方法及びブライダルイベント動画販売業務管理プログラムを提供することを目的とする。
【課題を解決するための手段】
【０００８】
本発明は、前記課題を解決するために、次のブライダルイベント動画販売業務管理システム、ブライダルイベント動画販売業務管理方法及びブライダルイベント動画販売業務管理プログラムを提供する。
【０００９】
（１）ブライダルイベント動画販売業務管理システム
本発明に係るブライダルイベント動画販売業務管理システムは、ブライダルイベントの動画販売業務に関する動画販売業務情報を受け付け、受け付けた前記動画販売業務情報をデータベースに保存し、前記データベースに保存した前記動画販売業務情報を前記ブライダルイベントの動画販売業務に関して管理可能に処理し、処理した前記動画販売業務情報を出力する管理サーバーを備えることを特徴とする。
【００１０】
（２）ブライダルイベント動画販売業務管理方法
本発明に係るブライダルイベント動画販売業務管理方法は、ブライダルイベントの動画販売業務に関する動画販売業務情報を受け付ける受付処理制御ステップと、前記受付処理制御ステップにて受け付けた前記動画販売業務情報をデータベースに保存する保存制御ステップと、前記データベースに保存した前記動画販売業務情報を前記ブライダルイベントの動画販売業務に関して管理可能に処理する情報処理制御ステップと、前記情報処理制御ステップにて処理した前記動画販売業務情報を出力する情報出力制御ステップとを含むことを特徴とする。
【００１１】
（３）ブライダルイベント動画販売業務管理プログラム
本発明に係るブライダルイベント動画販売業務管理プログラムは、ブライダルイベントの動画販売業務に関する動画販売業務情報を受け付ける受付処理制御ステップと、前記受付処理制御ステップにて受け付けた前記動画販売業務情報をデータベースに保存する保存制御ステップと、前記データベースに保存した前記動画販売業務情報を前記ブライダルイベントの動画販売業務に関して管理可能に処理する情報処理制御ステップと、前記情報処理制御ステップにて処理した前記動画販売業務情報を出力する情報出力制御ステップとを含む各ステップを制御部に実行させることを特徴とする。
【発明の効果】
【００１２】
本発明によると、挙式、披露宴といったブライダルイベントの動画販売業務に関して効率的に管理することが可能となる。
【図面の簡単な説明】
【００１３】
【図１】本発明の実施の形態に係るブライダルイベント動画販売業務管理システムの一例を示すブロック図である。
【図２】図１に示すブライダルイベント動画販売業務管理システムにおける管理サーバーの一例を示すシステムブロック図である。
【図３Ａ】案件用マスターテーブルを示すデータ構造図である。
【図３Ｂ】案件用マスターテーブルを示すデータ構造図である。
【図３Ｃ】案件用マスターテーブルを示すデータ構造図である。
【図３Ｄ】案件用マスターテーブルを示すデータ構造図である。
【図３Ｅ】案件用マスターテーブルを示すデータ構造図である。
【図３Ｆ】案件用マスターテーブルを示すデータ構造図である。
【図４】無料撮影サービスの内容の一例を記載したメッセージカードの内容を示す平面図である。
【図５Ａ】図４に示すメッセージカードに添付される視聴情報記載カードの表面を示す平面図である。
【図５Ｂ】図４に示すメッセージカードに添付される視聴情報記載カードの裏面を示す平面図である。
【図６Ａ】視聴用により開かれた視聴用ページを示す表示画面である。
【図６Ｂ】サンプル用動画データが未だ完成していないときに表示するメッセージ画面である。
【図６Ｃ】サンプル用動画データの表示画面である。
【図７】無料撮影サービスの内容の他の例を記載したメッセージカードの内容を示す平面図である。
【図８】管理者用マスターテーブルを示すデータ構造図である。
【図９】法人用マスターテーブルを示すデータ構造図である。
【図１０】クライアント用マスターテーブルを示すデータ構造図である。
【図１１】クライアントメール用マスターテーブルを示すデータ構造図である。
【図１２】式場用マスターテーブルを示すデータ構造図である。
【図１３】クライアント・式場中間用マスターテーブルを示すデータ構造図である。
【図１４】商品用マスターテーブルを示すデータ構造図である。
【図１５】プランナー用マスターテーブルを示すデータ構造図である。
【図１６】業者会社用マスターテーブルを示すデータ構造図である。
【図１７】業者用マスターテーブルを示すデータ構造図である。
【図１８】担当者用マスターテーブルを示すデータ構造図である。
【図１９】業者・担当者中間用マスターテーブルを示すデータ構造図である。
【図２０】エリア用マスターテーブルを示すデータ構造図である。
【図２１】ブライダルイベント動画販売業務管理システムの表示装置に表示されたメイン画面を示す正面図である。
【図２２Ａ】顧客の基本情報を入力するための第１入力画面を示す正面図である。
【図２２Ｂ】顧客の基本情報を入力するための第２入力画面を示す正面図である。
【図２３】顧客の基本情報の一部及び進捗状況が一覧表示されたメイン画面を示す正面図である。
【図２４Ａ】顧客の基本情報の詳細画面を示す正面図である。
【図２４Ｂ】動画情報及び撮影情報の詳細画面を示す正面図である。
【図２４Ｃ】販促情報及び注文情報の詳細画面を示す正面図である。
【図２４Ｄ】製造情報の詳細画面を示す正面図である。
【図２５Ａ】第１登録画面及び第２登録画面を示す正面図である。
【図２５Ｂ】第１登録画面及び第２登録画面を示す正面図である。
【図２６Ａ】動画情報登録画面を示す正面図である。
【図２６Ｂ】サンプル動画画面を示す正面図である。
【図２７】撮影の進捗情報を入力する撮影進捗情報入力画面である。
【図２８Ａ】カメラマン出発連絡用ページを示す正面図である。
【図２８Ｂ】カメラマン到着連絡用ページを示す正面図である。
【図２８Ｃ】カメラマン撮影終了連絡用ページを示す正面図である。
【図２９】販促の進捗情報を入力する販促進捗情報入力画面を示す正面図である。
【図３０】製造の進捗情報を入力する製造進捗情報入力画面を示す正面図である。
【図３１】撮影ステータスでの撮影業務の未完了件数を表した撮影段階未完了件数画面を示す正面図である。
【図３２】撮影ステータスでの進捗状況を表した撮影進捗状況画面を示す正面図である。
【図３３Ａ】販促ステータスでの販促業務の未完了件数を表した販促段階未完了件数画面を示す正面図である。
【図３３Ｂ】販促ステータスでの販促業務の未完了件数を表した販促段階未完了件数画面を示す正面図である。
【図３４】販促ステータスでの進捗状況を表した販促進捗状況画面を示す正面図である。
【図３５Ａ】製造ステータスでの製造業務の未完了件数を表した製造段階未完了件数画面を示す正面図である。
【図３５Ｂ】製造ステータスでの製造業務の未完了件数を表した製造段階未完了件数画面を示す正面図である。
【図３６】製造ステータスでの進捗状況を表した製造進捗状況画面を示す正面図である。
【発明を実施するための形態】
【００１４】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１５】
図１は、本発明の実施の形態に係るブライダルイベント動画販売業務管理システム１００の一例を示すブロック図である。
【００１６】
図１に示すように、ブライダルイベント動画販売業務管理システム１００は、管理サーバー１０を備えている。管理サーバー１０は、例えば、ブライダルイベント動画販売業者１の施設に設置される。ブライダルイベント動画販売業者１は、挙式、披露宴といったブライダルイベントの様子を撮影装置（デジタルビデオカメラ）で撮影した動画データを販売する。管理サーバー１０は、インターネットＮＴ（ネットワーク）を介して複数の端末装置２０〔２０（１）〜２０（ｎ）（ｎは２以上の整数）〕と接続される。管理サーバー１０及び端末装置２０（１）〜２０（ｎ）は、出力装置として表示装置３０を接続し、表示装置３０にて表示するようになっている。なお、管理サーバー１０及び端末装置２０（１）〜２０（ｎ）は、出力装置としてさらに印刷装置を接続し、印刷装置にて印刷するようになっていてもよい。
【００１７】
また、管理サーバー１０は、インターネットＮＴを介して、動画共有の配信サービスを行う配信サービス事業者２が保有する配信サーバー４０と接続される。
【００１８】
（端末装置）
端末装置２０（１）〜２０（ｎ）は、インターネットＮＴに接続できると共にウェブブラウザがインストールされたものであれば、特に限定されるものではない。端末装置２０（１）〜２０（ｎ）としては、パーソナルコンピュータ、多機能型携帯端末装置（いわゆるスマートフォンやタブレット端末装置）を例示できる。なお、端末装置２０（１）〜２０（ｎ）を利用する者としては、ブライダルイベント動画販売業者１の管理者、撮影担当者（カメラマン）、顧客（新郎、新婦）を含む一般ユーザーを例示できる。
【００１９】
＜管理サーバー＞
先ず、管理サーバー１０の詳細について説明する。管理サーバー１０は、挙式、披露宴といったブライダルイベントの様子を撮影装置（デジタルビデオカメラ）で撮影した動画データを販売する動画販売業務に関する動画販売業務情報を管理する。ここで、ブライダルイベントとは、挙式及び／又は披露宴を含む概念である。
【００２０】
−管理サーバーのハードウェア構成−
図２は、図１に示すブライダルイベント動画販売業務管理システム１００における管理サーバー１０の一例を示すシステムブロック図である。管理サーバー１０は、ネットワーク通信部１１と、記憶部１２と、制御部１３と、データベースＤＢとを備えている。
【００２１】
ネットワーク通信部１１は、インターネットＮＴを介して、端末装置２０（１）〜２０（ｎ）及び配信サーバー４０と通信する通信部１１ａを備えている。記憶部１２は、ＲＯＭ等の不揮発性メモリ、ＲＡＭ等の揮発性メモリを含む。記憶部１２は、ブライダルイベント動画販売業務管理プログラムＰを記憶する。制御部１３は、管理サーバー１０全体の制御を司る。制御部１３は、ＣＰＵ等のコンピュータからなる。制御部１３は、記憶部１２に予め格納されたブライダルイベント動画販売業務管理プログラムＰを記憶部１２にロードして実行することにより、各種構成要素の作動制御を行う。また、データベースＤＢは、動画販売業務情報ＷＩが保存される。制御部１３は、データベースＤＢが保存する動画販売業務情報ＷＩの登録、削除、変更などの処理を行う。制御部１３は、通信部１１ａからインターネットＮＴを経由して端末装置２０（１）〜２０（ｎ）との間で動画販売業務情報ＷＩの送受信を行う。制御部１３の出力系には、表示装置３０に接続されている。
【００２２】
−管理サーバーのソフトウェア構成−
制御部１３は、受付処理制御手段Ｑ１と、保存制御手段Ｑ２と、情報処理制御手段Ｑ３と、情報出力制御手段Ｑ４とを備える手段として機能する。すなわち、ブライダルイベント動画販売業務管理プログラムＰは、受付処理制御手段Ｑ１に対応する受付処理制御ステップと、保存制御手段Ｑ２に対応する保存制御ステップと、情報処理制御手段Ｑ３に対応する情報処理制御ステップと、情報出力制御手段Ｑ４に対応する情報出力制御ステップとを含む各ステップを制御部１３に実行させる。
【００２３】
受付処理制御手段Ｑ１は、ブライダルイベントの動画販売業務に関する動画販売業務情報ＷＩを受け付ける。保存制御手段Ｑ２は、受付処理制御手段Ｑ１にて受け付けた動画販売業務情報ＷＩをデータベースＤＢに保存する。情報処理制御手段Ｑ３は、データベースＤＢに保存した動画販売業務情報ＷＩをブライダルイベントの動画販売業務に関して管理可能に処理する。情報出力制御手段Ｑ４は、情報処理制御手段Ｑ３にて処理した動画販売業務情報ＷＩを出力するための出力情報を生成する。こうすることで、ブライダルイベントの動画販売業務を効率的に管理することができる。
【００２４】
次に、ブライダルイベントの動画販売業務に関して管理可能に処理する態様について、以下に具体的に説明する。
【００２５】
＜案件用マスターテーブル＞
図３Ａから図３Ｆは、案件用マスターテーブルＴＢ１を示すデータ構造図である。なお、図３Ａから図３Ｆに示す案件用マスターテーブルＴＢ１において、各項目は図３Ａから図３Ｆの順で繋がっている。データベースＤＢは、顧客の情報が記録される案件用マスターテーブルＴＢ１を含んでいる。
【００２６】
図３Ａに示すように、案件用マスターテーブルＴＢ１には、案件ＩＤ、クライアントＩＤ、式場ＩＤ、撮影〔業者１ＩＤ、担当者（カメラマン）１ＩＤ、業者２ＩＤ、担当者（カメラマン）２ＩＤ〕、サンプル（業者ＩＤ、担当者ＩＤ）、本編（業者ＩＤ、担当者ＩＤ）、挙式日、識別子〔視聴用ＵＲＬ（Ｕｎｉｆｏｒｍ  Ｒｅｓｏｕｒｃｅ  Ｌｏｃａｔｏｒ）〕、撮影（発注日）、購入注文日、新郎（姓、名、姓フリガナ、名フリガナ、電話番号、メールアドレス）が保存される。
【００２７】
図３Ｂに示すように、案件用マスターテーブルＴＢ１には、さらに、新婦（姓、名、姓フリガナ、名フリガナ、電話番号、メールアドレス）、住所（郵便番号、都道府県、市区郡町村、町・番地、アパートマンション名、宛名）、担当プランナー、配信ビデオＩＤ、配信パスワード、ドライブ共有ＵＲＬ、素材共有手法が保存される。
【００２８】
図３Ｃに示すように、案件用マスターテーブルＴＢ１には、さらに、撮影（原価１、原価２、撮影備考、お仕度アップ時間、挙式開始時間、披露宴開始時刻、ブライズ／控室、挙式会場、披露宴会場、フィードバック、評価、編集備考）が保存される。
【００２９】
図３Ｄに示すように、案件用マスターテーブルＴＢ１には、さらに、サンプル（原価、発注日）、販促行動履歴、販促用メールアドレス、本編（原価、発注日、入金日、納期、納品日、お客様納期、お客様納品日）、請求月が保存される。ここで、納期とは、本編の動画データを編集する業者会社が本編の動画データをブライダルイベント動画販売業者に納品する期日（例えば発注日から２週間）である。納品日とは、本編の動画データを編集する業者会社が本編の動画データをブライダルイベント動画販売業者に実際に納品する日である。お客様納期とは、ブライダルイベント動画販売業者が本編の動画データを購入者に納品する期日（例えば購入日から１カ月半）である。また、お客様納品日とは、ブライダルイベント動画販売業者が本編の動画データを購入者に実際に納品する日である。
【００３０】
図３Ｅに示すように、案件用マスターテーブルＴＢ１には、さらに、ステータス（進捗）、業者登録（フラグ、日時）、カメラマン登録（フラグ、日時）、当日封筒作成（フラグ、日時）、カメラマン最終確認（フラグ、日時）、クライアント最終確認（フラグ、日時）、クライアント婚資（婚礼資料）受取（フラグ、日時）、カメラマン婚資共有（フラグ、日時）、カメラマン本人確認（フラグ、日時）、カメラマン当日出発（フラグ、日時）、カメラマン当日到着（フラグ、日時）、カメラマン当日終了（フラグ、日時）、素材到着（フラグ、日時）、素材確認・サンプル発注（フラグ、日時）、サンプル到着・確認・アップ（フラグ、日時）が保存される。
【００３１】
また、図３Ｆに示すように、案件用マスターテーブルＴＢ１には、さらに、ＤＭ（ダイレクトメール）作成（フラグ、日時）、ＤＭ発送（フラグ、日時）、ハガキ作成（フラグ、日時）、ハガキ発送（フラグ、日時）、最終ＴＥＬ（フラグ、日時）、購入（フラグ、日時）、本編発注（フラグ、日時）、本編確認・焼付（フラグ、日時）、入金確認（フラグ、日時）、検品・梱包・発送（フラグ、日時）、ＬＯＳＴ（フラグ、日時）、備考、登録日時、更新日時が保存される。なお、フラグに対応する日時は、フラグをオンした（立った）時の日時である。
【００３２】
＜サンプル用動画データ＞
ところで、ブライダルイベントは一生の記念になっているにも拘わらず、ブライダルイベント動画販売サービスは、一般的には、事前に予約するようになっている。このため、ブライダルイベントの動画データは、事前に予約する購入予約時には必要ないと思っても、ブライダルイベント後に、やはり購入予約してブライダルイベントの様子を撮影しておけばよかったといった後悔をする顧客が多い。
【００３３】
そこで、ブライダルイベント動画販売業者１は、取り敢えず無料でブライダルイベントの全体を動画撮影しておいて、顧客は、ブライダルイベント後に、サンプル用動画データＳＰ（図１参照）を視聴してから、本編の動画データを購入するか否かを判断するようなビジネスモデル（無料撮影サービス）が実施されている。ここで、サンプル用動画データＳＰは、ブライダルイベントを撮影した動画データ（以下、生動画データということがある。）を短くした（例えば２分程度にした）ダイジェスト版ムービー（ショートムービー）である。
【００３４】
図４は、無料撮影サービスの内容の一例を記載したメッセージカードの内容を示す平面図である。図５Ａ及び図５Ｂは、それぞれ、図４に示すメッセージカードに添付される視聴情報記載カードの表面及び裏面を示す平面図である。図６Ａは、視聴用ＵＲＬにより開かれた視聴用ページＰＧを示す表示画面である。図６Ｂは、サンプル用動画データＳＰが未だ完成していないときに表示するメッセージ画面である。図６Ｃは、サンプル用動画データＳＰの表示画面である。
【００３５】
図４に示すメッセージカードは、ブライダルイベントを撮影する撮影担当者（カメラマン）が当日に顧客に手渡す。図４に示すメッセージカードには、図５Ａ及び図５Ｂに示す視聴情報記載カードが添付される。視聴情報記載カードの表面には、視聴可能期限／結婚式より１ヶ月）が記載されている。また、視聴情報記載カードの裏面には、図５Ｂに示すように、サンプル用動画データＳＰをインターネットＮＴ上の動画共有の配信サービスを行う配信サーバー４０におけるサンプル用動画データＳＰを顧客に視聴させる視聴用ページＰＧを開くための視聴用ＵＲＬ〔ＱＲコード（登録商標）も含む。〕及びパスワード（配信パスワード）の生成ルールが記載されている。視聴用ＵＲＬ及び配信パスワードは顧客毎に設定されている。
【００３６】
＜完成通知用メール＞
顧客は、ブライダルイベントの当日にカメラマンから図４に示すメッセージカード及び視聴情報記載カードが入った封筒を受け取る。顧客は、端末装置２０において、ブラウザ上で視聴情報記載カードに記載された視聴用ＵＲＬを入力すると、図６Ａに示す視聴用ページＰＧが表示される。そして、顧客は、図６Ａに示す視聴用ページＰＧにおいて、パスワード（配信パスワード）を入力すると、次のような画面が表示される。
【００３７】
すなわち、視聴用ページＰＧは、サンプル用動画データＳＰが完成する前に設定されるため、サンプル用動画データＳＰが未完成の場合には、図６Ｂに示すように、サンプル用動画データＳＰが未完成である旨を報知する未完成用メッセージ用動画データが動画表示部ＭＶに表示される。一方、サンプル用動画データＳＰが完成済みの場合には、図６Ｃに示すように、サンプル用動画データＳＰが動画表示部ＭＶに表示される。なお、図６Ｃにおいては、サンプル用動画データＳＰが始まる前に挿入されている完成用メッセージ用動画を示している。また、図６Ａに示すように、視聴用ページＰＧには、「商品のご案内はこちらから」アイコンＩＣ１及び「お申込みはこちらから」アイコンＩＣ２が設けられている。顧客により「商品のご案内はこちらから」アイコンＩＣ１がクリック（選択操作）されると、商品案内を確認するための案内ページ（図示省略）に移行する。また、顧客により「お申込みはこちらから」アイコンＩＣ２がクリックされると、本編の動画データを購入するための購入ページ（図示省略）に移行する。また、サンプル用動画データＳＰが未完成の場合において、後にサンプル用動画データＳＰが完成した場合には、情報処理制御手段Ｑ３は、サンプル用動画データＳＰが完成したことを通知する完成通知用メール（お知らせメール）を顧客のメールアドレス〔案件用マスターテーブルＴＢ１における新郎のメールアドレス（図３Ａ参照）及び新郎のメールアドレス（図３Ｂ参照）〕に送信する。
【００３８】
従来では、サンプル用動画データＳＰを顧客に視聴させるにあたって、サンプル用動画データＳＰをインターネットＮＴ上の動画共有の配信サービスを行う配信サーバー４０に顧客が視聴できるように手動で連携させていた。このため、サンプル用動画データＳＰを顧客に視聴させるための視聴作業を行う際に非常に手間がかかっていた。
【００３９】
この点、本実施の形態では、情報処理制御手段Ｑ３は、サンプル用動画データＳＰをインターネットＮＴ上の動画共有の配信サービスを行う配信サーバー４０に顧客毎に視聴可能に連携させる。こうすることで、サンプル用動画データＳＰを顧客に視聴させるにあたって、サンプル用動画データＳＰを配信サーバー４０に顧客毎に自動で視聴可能に連携させることができる。これにより、サンプル用動画データＳＰを顧客に視聴させるための視聴作業の手間を大幅に軽減させることができる。
【００４０】
本実施の形態において、情報処理制御手段Ｑ３は、配信サーバー４０におけるサンプル用動画データＳＰを顧客に視聴させる視聴用ページＰＧを開くための視聴用ＵＲＬを顧客毎に生成する。こうすることで、視聴用ＵＲＬを顧客毎に自動で生成することができる。保存制御手段Ｑ２は、情報処理制御手段Ｑ３にて生成した視聴用ＵＲＬを識別子として案件用マスターテーブルＴＢ１（図３Ａ参照）に保存する。
【００４１】
ところで、視聴用ページＰＧにおいて、アクセス制限がないと、サンプル用動画データＳＰを不特定多数の人が視聴することになってしまう。
【００４２】
この点、本実施の形態において、配信サーバー４０における視聴用ページＰＧへのアクセスがＩＤ（配信ビデオＩＤ）及びパスワード（配信パスワード）により制限されている。配信ビデオＩＤは、配信サーバー４０で登録する登録ＩＤである。情報処理制御手段Ｑ３は、配信ビデオＩＤ及び配信パスワードを生成する。情報出力制御手段Ｑ４は、情報処理制御手段Ｑ３にて生成した配信ビデオＩＤ及び配信パスワードを出力する。こうすることで、視聴用ページＰＧにおいて、サンプル用動画データＳＰを配信ビデオＩＤ及び配信パスワードを知っている人（顧客）のみが視聴することができる。しかも、配信ビデオＩＤ及び配信パスワードを生成し、生成した配信ビデオＩＤ及び配信パスワードを出力することで、配信ビデオＩＤ及び配信パスワードについて管理者が思案する必要がなく、それだけ効率的に視聴作業を行うことができる。保存制御手段Ｑ２は、情報処理制御手段Ｑ３にて生成した配信ビデオＩＤ及び配信パスワードを案件用マスターテーブルＴＢ１（図３Ｂ参照）に保存する。
【００４３】
ところで、配信パスワードを印刷物（この例では視聴情報記載カード）等の通知手段により顧客に通知することが考えられるが、この場合、配信パスワードの秘密情報が漏れる可能性があり、そうすると、顧客の意に反してサンプル用動画データＳＰが視聴されてしまう。
【００４４】
この点、本実施の形態において、情報処理制御手段Ｑ３は、パスワード（配信パスワード）を顧客の個人情報に基づいて生成する。顧客の個人情報としては、代表的には、顧客の氏名、電話番号、郵便番号、挙式日等の個人情報及びこれらの組み合わせ、並びに、新郎の個人情報と新婦の個人情報のとの組み合わせ等を例示できる。この組み合わせとしては、例えば、新郎の氏名（アルファベット頭文字）と新婦の氏名（アルファベット頭文字）との組み合わせ、新郎の電話番号と新婦の電話番号との組み合わせ等を例示できる。
【００４５】
このように、パスワード（配信パスワード）を顧客の個人情報に基づいて生成し、印刷物（例えばメッセージカードや視聴情報記載カード）等の通知手段に個人情報を載せないことで、顧客の個人情報を知っている者（顧客）のみがサンプル用動画データＳＰを視聴することができる。
【００４６】
ところで、サンプル用動画データＳＰが完成したときに、完成通知用メールを顧客のメールアドレスに送信するが、列席者（例えば両親や親戚）もサンプル用動画データＳＰを視聴したい場合も考えられる。
【００４７】
図７は、無料撮影サービスの内容の他の例を記載したメッセージカードの内容を示す平面図である。図７に示すメッセージカードは、ブライダルイベントを撮影するカメラマンが当日に列席者に手渡す。図７に示すメッセージカードには、顧客に手渡されるメッセージカードに添付された視聴情報記載カード（図５Ａ及び図５Ｂ）と同じ内容が記載された視聴情報記載カードが添付される。
【００４８】
列席者は、ブライダルイベントの当日にカメラマンから図７に示すメッセージカード及び視聴情報記載カードが入った封筒を受け取る。列席者は、ブラウザ上で視聴情報記載カードに記載された視聴用ＵＲＬを入力すると、図６Ａに示す視聴用ページＰＧが表示される。そして、列席者は、図６Ａに示す視聴用ページＰＧにおいて、パスワード（配信パスワード）を入力する。ここで、サンプル用動画データＳＰが未完成の場合において、後にサンプル用動画データＳＰが完成した場合でもブライダルイベント動画販売業者１は列席者のメールアドレスの情報を知らないため、列席者は完成通知用メール（お知らせメール）を受けることができない。
【００４９】
この点、本実施の形態において、受付処理制御手段Ｑ１は、サンプル用動画データＳＰが完成したことを通知する完成通知用メールを受け取るためのメールアドレスを受け付ける。こうすることで、受け付けたメールアドレスに完成通知用メールを送信することができ、これにより、列席者も完成通知用メールを受けることが可能となる。
【００５０】
詳しくは、図６Ａに示す動画表示部ＭＶの上には、メールアドレスを入力する入力欄ＩＮが設けられている。受付処理制御手段Ｑ１は、入力欄ＩＮからメールアドレスが入力されると、保存制御手段Ｑ２は、案件用マスターテーブルＴＢ１における販促用メールアドレス（図３Ｄ参照）に保存する。そして、サンプル用動画データＳＰが完成した場合には、情報処理制御手段Ｑ３は、完成通知用メールを販促用メールアドレスに送信する。
【００５１】
＜その他の動画販売業務情報＞
データベースＤＢは、管理者用マスターテーブルＴＢ２と、法人用マスターテーブルＴＢ３と、クライアント用マスターテーブルＴＢ４と、クライアントメール用マスターテーブルＴＢ５と、式場用マスターテーブルＴＢ６と、クライアント・式場中間用マスターテーブルＴＢ７とをさらに含んでいる。
【００５２】
図８は、管理者用マスターテーブルＴＢ２を示すデータ構造図である。図８に示すように、管理者用マスターテーブルＴＢ２には、管理者ＩＤ、ログインＩＤ、パスワード、名前、メールアドレス、登録日時、更新日時が保存される。
【００５３】
図９は、法人用マスターテーブルＴＢ３を示すデータ構造図である。図９に示すように、法人用マスターテーブルＴＢ３には、法人ＩＤ、名前、名前フリガナ、略名、住所（郵便番号、都道府県、市区郡町村、町・番地、アパートマンション名）、電話番号、ＦＡＸ番号、送信先メールアドレス、送信先名前、補足連絡方法、代理店、請求起算日、支払月、支払日、請求、振込手数料の有無、備考、登録日時、更新日時が保存される。
【００５４】
図１０は、クライアント用マスターテーブルＴＢ４を示すデータ構造図である。図１０に示すように、クライアント用マスターテーブルＴＢ４には、クライアントＩＤ、法人ＩＤ、タイプ、ログインＩＤ、パスワード、名前、名前フリガナ、略名、住所（郵便番号、都道府県、市区郡町村、町・番地、アパートマンション名）、電話番号、ＦＡＸ番号、撮影マニュアルＵＲＬ、婚礼資料取扱、商品の注釈、備考、登録日時、更新日時が保存される。ここで、撮影マニュアルＵＲＬとは、ブライダルイベントが開催される会場への行き方といった撮影に関して必要な情報をブライダルイベント動画販売業者１と共有するためのＵＲＬである。
【００５５】
図１１は、クライアントメール用マスターテーブルＴＢ５を示すデータ構造図である。図１１に示すように、クライアントメール用マスターテーブルＴＢ５には、クライアントメールＩＤ、クライアントＩＤ、送信先メールアドレス、送信先名前、メールタイプ識別子、補足連絡方法、登録日時、更新日時が保存される。
【００５６】
図１２は、式場用マスターテーブルＴＢ６を示すデータ構造図である。図１２に示すように、式場用マスターテーブルＴＢ６には、式場ＩＤ、エリアＩＤ、式場名、式場名フリガナ、略名、住所（郵便番号、都道府県、市区郡町村、町・番地、アパートマンション名）、電話番号、ＦＡＸ番号、支度ＵＰ、支度場所、備考、登録日時、更新日時が保存される。
【００５７】
ここで、「クライアント」及び「式場」とは、挙式、披露宴の会場を有する会社及び／又は挙式、披露宴といったブライダル関連の催しをプロデュースする会社である。「式場」が２つ以上の場合は、「クライアント」は、２つ以上の「式場」を統括する会社（主たる会社）を意味し、「式場」が１つの場合は、「クライアント」と「式場」とが同義となる。
【００５８】
図１３は、クライアント・式場中間用マスターテーブルＴＢ７を示すデータ構造図である。図１３に示すように、クライアント・式場中間用マスターテーブルＴＢ７には、クライアントＩＤ、式場ＩＤが保存される。
【００５９】
また、データベースＤＢは、商品用マスターテーブルＴＢ８と、プランナー用マスターテーブルＴＢ９と、業者会社用マスターテーブルＴＢ１０と、業者用マスターテーブルＴＢ１１と、担当者用マスターテーブルＴＢ１２と、業者・担当者中間用マスターテーブルＴＢ１３と、エリア用マスターテーブルＴＢ１４とをさらに含んでいる。
【００６０】
図１４は、商品用マスターテーブルＴＢ８を示すデータ構造図である。図１４に示すように、商品用マスターテーブルＴＢ８には、商品ＩＤ、クライアントＩＤ、並び順、商品タイプ、名前、上代（単価）、下代（単価）、手数料（単価）、メモ、備考、登録日時、更新日時が保存される。
【００６１】
図１５は、プランナー用マスターテーブルＴＢ９を示すデータ構造図である。図１５に示すように、プランナー用マスターテーブルＴＢ９には、プランナーＩＤ、クライアントＩＤ、プランナー名、プランナー名フリガナ、送信先メールアドレス、登録日時、更新日時が保存される。
【００６２】
図１６は、業者会社用マスターテーブルＴＢ１０を示すデータ構造図である。図１６に示すように、業者会社用マスターテーブルＴＢ１０には、業者会社ＩＤ、業者会社名、業者会社名フリガナ、略名、住所（郵便番号、都道府県、市区郡町村、町・番地、アパートマンション名）、電話番号、ＦＡＸ番号、送信先メールアドレス、送信先名前、備考、登録日時、更新日時が保存される。
【００６３】
図１７は、業者用マスターテーブルＴＢ１１を示すデータ構造図である。図１７に示すように、業者用マスターテーブルＴＢ１１には、業者ＩＤ、業者会社ＩＤ、エリアＩＤ、業者名、業者名フリガナ、略名、住所（郵便番号、都道府県、市区郡町村、町・番地、アパートマンション名）、電話番号、ＦＡＸ番号、送信先メールアドレス、送信先名前、取扱状況、アサイン備考、撮影可能、サンプル編集可能、本編編集可能、備考、登録日時、更新日時が保存される。
【００６４】
ここで、「業者会社」及び「業者」とは、ブライダルイベント（挙式、披露宴）を撮影し、さらに、撮影した動画データ（生動画データ）をサンプル用動画データＳＰに編集するサンプル編集し、或いは／さらに、撮影した動画データ（生動画データ）を本編の動画データに編集する本編編集する会社である。「業者」が２つ以上の場合は、「業者会社」は、２つ以上の「業者」を統括する会社（主たる会社）を意味し、「業者」が１つの場合は、「業者会社」と「業者」とが同義となる。
【００６５】
図１８は、担当者用マスターテーブルＴＢ１２を示すデータ構造図である。図１８に示すように、担当者用マスターテーブルＴＢ１２には、担当者ＩＤ、担当者名、担当者名フリガナ、住所（郵便番号、都道府県、市区郡町村、町・番地、アパートマンション名）、電話番号、メールアドレス、撮影可能、サンプル編集可能、本編編集可能、備考、登録日時、更新日時が保存される。
【００６６】
図１９は、業者・担当者中間用マスターテーブルＴＢ１３を示すデータ構造図である。図１９に示すように、業者・担当者中間用マスターテーブルＴＢ１３には、業者ＩＤ、担当者ＩＤが保存される。
【００６７】
また、図２０は、エリア用マスターテーブルＴＢ１４を示すデータ構造図である。図２０に示すように、エリア用マスターテーブルＴＢ１４には、エリアＩＤ、エリア名、並び順、登録日時、更新日時が保存される。
【００６８】
保存制御手段Ｑ２は、動画販売業務情報ＷＩを各マスターテーブルＴＢ１〜ＴＢ１４に保存する。情報処理制御手段Ｑ３は、各マスターテーブルＴＢ１〜ＴＢ１４を用いて管理者がブライダルイベントの動画販売業務情報ＷＩに関して管理することができるように動画販売業務情報ＷＩを処理する。情報出力制御手段Ｑ４は、情報処理制御手段Ｑ３にて処理した動画販売業務情報ＷＩを表示装置３０（出力装置）に表示する。
【００６９】
＜顧客の情報＞
図２１は、ブライダルイベント動画販売業務管理システム１００の表示装置３０に表示されたメイン画面Ｇ１を示す正面図である。図２２Ａ及び図２２Ｂは、それぞれ、顧客の基本情報を入力するための第１入力画面Ｇ２ａ及び第２入力画面Ｇ２ｂを示す正面図である。
【００７０】
制御部１３は、図８に示す管理者用マスターテーブルＴＢ２を用いて図示を省略したログイン画面にて管理者用マスターテーブルＴＢ２（図８参照）の管理者の管理者ＩＤ及びログインパスワードを用いて管理者の認証を行い、図２１に示すメイン画面Ｇ１を表示装置３０に表示する。
【００７１】
制御部１３は、図２１に示すメイン画面Ｇ１の上部に表示されている第１選択欄Ｓ１において、管理者により「マスター管理」がクリックされると、図示を省略した登録画面において各マスターテーブルＴＢ２〜ＴＢ１５の情報をデータベースＤＢに保存する。
【００７２】
すなわち、制御部１３は、管理者の情報（管理者用マスターテーブルＴＢ２の情報）、法人の情報（法人用マスターテーブルＴＢ３の情報）、クライアントの情報（クライアント用マスターテーブルＴＢ４の情報、クライアントメール用マスターテーブルＴＢ５、クライアント・式場中間用マスターテーブルＴＢ７の情報、商品用マスターテーブルＴＢ８の情報、プランナー用マスターテーブルＴＢ９の情報）の管理者による入力操作を受け付ける。
【００７３】
また、制御部１３は、式場の情報（式場用マスターテーブルＴＢ６の情報、クライアント・式場中間用マスターテーブルＴＢ７の情報）、業者会社の情報（業者会社用マスターテーブルＴＢ１０の情報）、業者の情報（業者用マスターテーブルＴＢ１１の情報、業者・担当者中間用マスターテーブルＴＢ１３の情報）の管理者による入力操作を受け付ける。
【００７４】
また、制御部１３は、担当者の情報（担当者用マスターテーブルＴＢ１２の情報、業者・担当者中間用マスターテーブルＴＢ１３の情報）、エリアの情報（エリア用マスターテーブルＴＢ１４の情報）の管理者による入力操作を受け付ける。
【００７５】
そして、制御部１３は、受け付けた管理者の情報、法人の情報、クライアントの情報、式場の情報、業者会社の情報、業者の情報、担当者の情報、エリアの情報をデータベースＤＢにおける各マスターテーブルＴＢ２〜ＴＢ１４に保存する。
【００７６】
また、制御部１３は、図２１に示すメイン画面Ｇ１の左側に表示されている第２選択欄Ｓ２において、管理者により「案件登録」がクリックされると、図２２Ａに示す第１入力画面Ｇ２ａ及び図２２Ｂに示す第２入力画面Ｇ２ｂを表示する。制御部１３は、管理者により第１入力画面Ｇ２ａ及び第２入力画面Ｇ２ｂにて入力された顧客の基本情報を新規登録する。
【００７７】
すなわち、制御部１３は、図２２Ａに示す第１入力画面Ｇ２ａにおいて、「挙式」の情報〔「クライアント（選択して下さい）」、「式場（選択して下さい）」、「挙式日」、「担当プランナー」、「担当プランナー（選択して下さい）」〕、「新郎」の情報〔「姓」、「名」、「姓（フリガナ）」、「名（フリガナ）」〕を受け付ける。
【００７８】
ここで、「クライアント（選択して下さい）」では、図１０に示すクライアント用マスターテーブルＴＢ４を用いて、クライアントの名前がプルダウンメニュー表示される。「式場（選択して下さい）」では、図１２に示す式場用マスターテーブルＴＢ６を用いて、式場名がプルダウンメニュー表示される。「担当プランナー（選択して下さい）」では、図１５に示すプランナー用マスターテーブルＴＢ９を用いて、プランナー名がプルダウンメニュー表示される。
【００７９】
また、制御部１３は、第１入力画面Ｇ２ａにおいて、管理者により画面がスクロールされると、図２２Ｂに示す第２入力画面Ｇ２ｂを表示する。制御部１３は、図２２Ｂに示す第２入力画面Ｇ２ｂにおいて、「新婦」の情報〔「姓」、「名」、「姓（フリガナ）」、「名（フリガナ）」〕、動画の情報（「配信パスワード」）、撮影の情報（「お支度アップ時間」、「挙式開始時間」、「披露宴開始時間」、「ブライズ／控室」、「挙式会場」、「披露宴会場」）を受け付ける。
【００８０】
制御部１３は、管理者により図２２Ｂに示す「登録する」アイコンＩＣ３ａがクリックされると、入力された各情報及び案件ＩＤを図３Ａから図３Ｆに示す案件用マスターテーブルＴＢ１に保存する。このとき、制御部１３は、管理者により「クライアントに『撮影申込完了』メールを送信する」のチェックボックスにチェックが入れられていると、顧客が撮影申込を行ったことをクライアントに通知する撮影申込完了メールをクライアントメール用マスターテーブルＴＢ５に保存された送信先メールアドレス（図１１参照）に送信する。また、制御部１３は、図３Ｅに示す案件用マスターテーブルＴＢ１のステータス（進捗）を「撮影」に移行させる。
【００８１】
また、制御部１３は、図２１に示すメイン画面Ｇ１において、「挙式日」、「購入注文日」、「ＬＯＳＴ（ＬＯＳＴ済又は未ＬＯＳＴ）」、「納品（完了又は未完）」、「代理店」、基本（名前、電話番号、メールアドレス）、「備考」、「エリア（選択して下さい）」、「法人（選択して下さい）」、「クライアント（選択して下さい）」、「式場（選択して下さい）」、「撮影業者（選択して下さい）」、「サンプル業者（選択して下さい）」、「本編業者（選択して下さい）」のうち少なくとも１つの項目を受け付ける。
【００８２】
ここで、「挙式日」は、ブライダルイベントが行われる日であり、「購入注文日」は、本編の動画データの購入を受け付けた日である。「ＬＯＳＴ済」は、案件用マスターテーブルＴＢ１におけるＬＯＳＴフラグ（図３Ｆ参照）がオンされており、本編の動画データの購入がないことが確定したことを意味し、「未ＬＯＳＴ」は、ＬＯＳＴフラグがオンされておらず、本編の動画データの購入が未決定であることを意味する。制御部１３は、ＬＯＳＴフラグがオンすると、図３Ｅに示す案件用マスターテーブルＴＢ１のステータス（進捗）を「ＬＯＳＴ」に移行させる。「納品（完了）」は、案件用マスターテーブルＴＢ１における本編の納品日（図３Ｄ参照）に日付が入っており、本編の動画データが納品されたことを意味する。「納品（未完）」は、本編の動画データの納品日に日付が入っておらず、本編の動画データが納品されていないことを意味する。「エリア」は、業者の拠点を意味する。「サンプル業者」は、サンプル用動画データＳＰを編集できる業者を意味し、「本編業者」は、本編の動画データを編集できる業者を意味する。
【００８３】
また、「エリア（選択して下さい）」では、図２０に示すエリア用マスターテーブルＴＢ１４を用いて、エリア名がプルダウンメニュー表示される。「法人（選択して下さい）」では、図９に示す法人用マスターテーブルＴＢ３を用いて、法人の名前がプルダウンメニュー表示される。「クライアント（選択して下さい）」では、図１０に示すクライアント用マスターテーブルＴＢ４を用いて、クライアントの名前がプルダウンメニュー表示される。「式場（選択して下さい）」では、図１２に示す式場用マスターテーブルＴＢ６を用いて、式場名がプルダウンメニュー表示される。「撮影業者（選択して下さい）」では、図１７に示す業者用マスターテーブルＴＢ１１を用いて、業者名がプルダウンメニュー表示される。「サンプル業者（選択して下さい）」では、図１７に示す業者用マスターテーブルＴＢ１１を用いて、サンプル編集可能のフラグがオンされた業者名がプルダウンメニュー表示される。「本編業者（選択して下さい）」では、図１７に示す業者用マスターテーブルＴＢ１１を用いて、本編編集可能のフラグがオンされた業者名がプルダウンメニュー表示される。
【００８４】
図２３は、顧客の基本情報の一部及び進捗状況が一覧表示されたメイン画面Ｇ１を示す正面図である。
【００８５】
制御部１３は、図２３に示すように、管理者によりメイン画面Ｇ１の「検索する」アイコンＩＣ４ａがクリックされると、受け付けた項目をキーワードとして全ての顧客の情報から検索して抽出した顧客の基本情報の一部及び進捗状況を表示欄Ｄ１に一覧表示する。制御部１３は、図２３に示すように、管理者によりメイン画面Ｇ１の「クリア」アイコンＩＣ４ｂがクリックされると、受け付けた項目をクリアする。表示欄Ｄ１に一覧表示される顧客の基本情報の一部は、「挙式日」、「ご両家名（新郎の姓、新婦の姓）」、「法人」、「式場（クライアント）」、「撮影業者（カメラマン）」、「サンプル業者（スタッフ）」、「本編業者（スタッフ）」、進捗状況（「撮影」、「販促」、「製造」、「ＬＯＳＴ」、「納品」）である。制御部１３は、表示欄Ｄ１において、撮影、販促、製造、ＬＯＳＴ、納品の各ステータス（進捗）（図３Ｅ参照）の状況を所定の指標（→）で表示する。また、制御部１３は、管理者により「この条件で案件情報をダウンロード」アイコンＩＣ５がクリックされると、抽出した顧客の情報をテキストデータ（例えば表計算ソフトの表計算ファイルデータやワープロソフトのワープロデータ）としてダウンロードする。
【００８６】
そして、管理者は、図２３に示す表示欄Ｄ１の「参照マーク」アイコンＩＣ６をクリックすることで、顧客の情報（基本情報、動画情報、撮影情報、販促情報、注文情報、製造情報）を参照することができる。
【００８７】
図２４Ａから図２４Ｄは、顧客の全体の情報の詳細画面Ｇ３を示す正面図である。図２４Ａは、顧客の基本情報を示している。図２４Ｂは、サンプル用動画データＳＰを視聴するための動画情報及びブライダルイベントを撮影するための撮影情報を示している。図２４Ｃは、サンプル用動画データＳＰを販売促進するための販促情報及びサンプル用動画データＳＰの注文を受け付けた際の注文情報を示している。図２４Ｄは、サンプル用動画データＳＰを記録媒体（記録ディスク）に書き込む（焼き付ける）ための製造情報を示している。
【００８８】
また、顧客の情報（基本情報、動画情報、撮影情報、販促情報、注文情報、製造情報）は、管理者により図２３に示す表示欄Ｄ１の「登録マーク」アイコンＩＣ７がクリックされることで、登録、修正、削除することができる。
【００８９】
図２５Ａ及び図２５Ｂは、それぞれ、第１登録画面Ｇ４ａ及び第２登録画面Ｇ４ｂを示す正面図である。図２５Ａ及び図２５Ｂに示す画面の左上部かつ第１選択欄Ｓ１の下部には、新郎名／新婦名が表示され、その下には、挙式日、クライアント名、式場名が表示される。また、新郎名／新婦名の右横には、「参照マーク」アイコンＩＣ６が設けられ、管理者は「参照マーク」アイコンＩＣ６をクリックすることで、顧客の情報（図２４Ａから図２４Ｄ参照）を参照することができる。また、「参照マーク」アイコンＩＣ６の右横には、「サンプル用動画データ視聴」アイコンＩＣ８が設けられている。制御部１３は、管理者により「サンプル用動画データ視聴」アイコンＩＣ８がクリックされると、サンプル用動画データＳＰを公開する視聴用ＵＲＬのブラウザを開き、図６Ａから図６Ｃに示す視聴用ページＰＧを示す表示画面を表示する。
【００９０】
第１登録画面Ｇ４ａ及び第２登録画面Ｇ４ｂにおいても、制御部１３は、管理者により入力された個客の基本情報を受け付け、管理者により図２５Ｂに示す「変更する」アイコンＩＣ３ｂがクリックされると、入力された各情報を図３Ａから図３Ｄに示す案件用マスターテーブルＴＢ１に保存する。
【００９１】
また、管理者は、顧客の情報のうち、図２４Ｂから図２４Ｄに示す動画、撮影、販促、製造の各情報を登録する場合には、次のようにする。
【００９２】
図２６Ａは、動画情報登録画面Ｇ５を示す正面図である。また、図２６Ｂは、サンプル動画画面Ｇ５１を示す正面図である。管理者が動画情報（配信ビデオＩＤ、配信パスワード）を登録する場合、制御部１３は、図２５Ａ及び図２５Ｂに示す第３選択欄Ｓ３において、管理者により「動画」がクリックされると、図２６Ａに示す動画情報登録画面Ｇ５を表示する。制御部１３は、管理者により動画情報登録画面Ｇ５にて入力された動画情報（配信ビデオＩＤ、配信パスワード）を案件用マスターテーブルＴＢ１（図３Ｂ参照）に登録する。
【００９３】
ここで、制御部１３は、動画情報登録画面Ｇ５において、管理者により配信パスワードの「生成」アイコンＩＣ９がクリックされると、所定の生成ルールに基づいて配信パスワードを生成し、生成した配信パスワードを動画情報登録画面Ｇ５に表示する。制御部１３は、動画情報登録画面Ｇ５において、管理者により「パスワードを変更する」アイコンＩＣ１０がクリックされると、ＡＰＩ（Ａｐｐｌｉｃａｔｉｏｎ  Ｐｒｏｇｒａｍｍｉｎｇ  Ｉｎｔｅｒｆａｃｅ）にて配信サーバー４０側のパスワード（配信パスワード）も変更する。制御部１３は、動画情報登録画面Ｇ５において、管理者により「データを同期する」アイコンＩＣ１１がクリックされると、アプリ側（管理サーバー１０のデータベースＤＢ）で保持しているデータで、配信サーバー４０で保持しているタイトル（挙式日、新郎名、新婦名、クライアント名等）、パスワード（配信パスワード）及びプリセット（初期）を強制的に更新する。サンプル用動画データＳＰが配信サーバー４０にアップロードされた後、制御部１３は、動画情報登録画面Ｇ５において、管理者により「動画を確認する」アイコンＩＣ１２がクリックされると、図２６Ｂに示すサンプル用動画データＳＰの配信情報を表示するサンプル動画画面Ｇ５１を表示する。制御部１３は、サンプル動画画面Ｇ５１において、配信ビデオＩＤ、タイトル（挙式日、新郎名、新婦名、クライアント名等）、パスワード（配信パスワード）等を表示する。制御部１３は、サンプル動画画面Ｇ５１の動画表示画面５１ａにおいて、管理者によりパスワード（配信パスワード）が入力されると、サンプル用動画データＳＰの映像を表示する。
【００９４】
また、制御部１３は、第３選択欄Ｓ３において、管理者により「削除」アイコンＩＣ１３がクリックされると、顧客の情報を削除する。
【００９５】
同様にして、管理者は、撮影、販促、製造の各情報も登録する。すなわち、管理者が撮影情報（サンプル用動画データＳＰの発注日、原価、撮影備考、お支度アップ時間、挙式開始時間、披露宴開始時間、ブライズ／控室、挙式会場、披露宴会場、ドライブ共有ＵＲＬ、素材共有手法、フィードバック、評価、編集備考）を登録する場合、制御部１３は、図２５Ａ及び図２５Ｂに示す第３選択欄Ｓ３において、管理者により「撮影」がクリックされることで、図示を省略した撮影情報入力画面を表示し、管理者により撮影情報入力画面にて入力された撮影情報を案件用マスターテーブルＴＢ１（図３Ｂ、図３Ｃ、図３Ｆ参照）に登録する。ここで、「ドライブ共有ＵＲＬ」は、カメラマンが生動画データをアップロードするためのＵＲＬである。「素材共有手法」は、カメラマンが撮影した動画データ（生動画データ）をどのようにブライダルイベント動画販売業者１と共有するかを示す情報である。
【００９６】
管理者が販促情報（サンプル用動画データＳＰの発注日、原価、編集備考、販促行動履歴、販促用メールアドレス、備考）を登録する場合、制御部１３は、図２５Ａ及び図２５Ｂに示す第３選択欄Ｓ３において、管理者により「販促」がクリックされることで、図示を省略した販促情報入力画面を表示し、管理者により販促情報入力画面にて入力された販促情報を案件用マスターテーブルＴＢ１（図３Ｃ、図３Ｄ、図３Ｆ参照）に登録する。
【００９７】
管理者が製造情報（本編の動画データの発注日、原価、編集備考、入金日、納品日、お客様納期、お客様納品日、請求月）を登録する場合には、制御部１３は、図２５Ａ及び図２５Ｂに示す第３選択欄Ｓ３において、管理者により「製造」がクリックされると、図示を省略した製造情報入力画面を表示する。制御部１３は、管理者により製造情報入力画面にて入力された販促情報（本編の動画データの購入注文日、発注日、原価、編集備考、入金日、納品日、お客様納期、お客様納品日、請求月）を案件用マスターテーブルＴＢ１（図３Ａ、図３Ｄ参照）に登録する。制御部１３は、お客様納品日に日付が入ると、図３Ｅに示す案件用マスターテーブルＴＢ１のステータス（進捗）を「納品」に移行させる。
【００９８】
＜動画販売業務の進捗状況＞
情報処理制御手段Ｑ３は、ブライダルイベントを撮影するまでの撮影段階（撮影）と、撮影段階から本編の動画データが購入されるまでの販売促進段階（販促）と、販売促進段階から本編の動画データが発送されるまでの製造段階（製造）とがこの順で進行する進捗状況を管理可能に処理する。こうすることで、撮影、販売促進、製造の各段階における各種の動画販売業務に関して期日の徒過や必要事項を過誤することなく、円滑に進行させることができる。
【００９９】
次に、動画販売業務の進捗状況として、撮影進捗状況、販促進捗状況及び製造進捗状況について以下に説明する。
【０１００】
−撮影進捗状況−
図２７は、撮影の進捗情報を入力する撮影進捗情報入力画面Ｇ６ａである。管理者が撮影の進捗情報を入力する場合、制御部１３は、図２５Ａ、図２５Ｂ、図２６Ａ及び図２６Ｂに示す第３選択欄Ｓ３において、管理者により「撮影進捗」がクリックされると、図２７に示す撮影進捗情報入力画面Ｇ６ａを表示する。なお、「案件登録」は「チェックマーク」が表示されたままで変更することができない。
【０１０１】
撮影進捗情報入力画面Ｇ６ａでは、管理者は、撮影進捗情報として、「業者登録」の有無、「ＣＡＭ（カメラマン）登録」の有無、「当日封筒作成」の有無、「ＤＭ（ダイレクトメール）作成」の有無、「手配書送付」の有無、「ＣＡＭ最終確認」の有無、「クライアント最終確認」の有無、「クライアント婚資受取」の有無、「ＣＡＭ婚資共有」の有無、「ＣＡＭ婚資共有」の有無、「ＣＡＭ本人確認」の有無を入力する。
【０１０２】
「業者登録」及び「カメラマン登録」は、それぞれの情報が新規登録されたときに、図３Ｅに示す案件用マスターテーブルＴＢ１の「業者登録」のフラグ及び「カメラマン登録」のフラグを自動的にオンすると共にオンした日時を自動的に登録する。また、「業者登録」及び「カメラマン登録」は、後述するように、「当日封筒作成」、「ダイレクトメール作成」、「手配書送付」、「カメラマン最終確認」、「クライアント最終確認」、「クライアント婚資受取」、「カメラマン婚資共有」、「カメラマン婚資共有」、「カメラマン本人確認」と同様に、管理者により「チェックマーク」及び「×マーク」がクリックされることで、フラグのオンオフを切り替えることができる。
【０１０３】
すなわち、撮影進捗情報入力画面Ｇ６ａにおいて、「×マーク」は「無」（フラグオフ）を意味し、「チェックマーク」は「有」（フラグオン）を意味する。制御部１３は、管理者により「無」を意味する「×マーク」がクリックされると、「有」を意味する「チェックマーク」に切り替えて表示し、案件用マスターテーブルＴＢ１（図３Ｅ及び図３Ｆ参照）のクリックした項目に対応するフラグをオンすると共にオンした日時を登録する。一方、制御部１３は、管理者により「有」を意味する「チェックマーク」がクリックされると、「無」を意味する「×マーク」に切り替えて表示しかつ日時を非表示にし、案件用マスターテーブルＴＢ１（図３Ｅ及び図３Ｆ参照）のクリックした項目に対応するフラグをオフすると共に日時を削除する。
【０１０４】
ここで、制御部１３は、管理者により「案件登録」の欄の「撮影申込完了メールを送信する」アイコンＩＣ１４がクリックされると、顧客が無料撮影サービスを申し込んだ旨を通知する撮影申込完了メールをクライアントのメールアドレス〔クライアントメール用マスターテーブルＴＢ５における送信先メールアドレス（図１１参照）〕に送信する。
【０１０５】
「業者登録」の有無は、業者を登録したか否かを意味し、「カメラマン登録」の有無は、カメラマンを登録したか否かを意味する。
【０１０６】
「当日封筒作成」の有無は、当日に顧客に手渡す封筒（図４に示すメッセージカード並びに図５Ａ及び図５Ｂに示す視聴情報記載カードが入った封筒）を作成したか否かを意味する。制御部１３は、管理者により「当日封筒作成」の欄の「印刷用ラベルシールをＤＬ」アイコンＩＣ１５がクリックされると、当日に顧客に手渡す視聴情報記載カードの裏面の情報（図５に示す情報）を印刷ソフトの印刷ファイルデータとしてダウンロードする。管理者は、ダウンロードした印刷ファイルデータをラベルシールに印刷し、印刷した印刷用ラベルシールを視聴情報記載カードの裏面に貼り付ける。なお、印刷用ラベルシールには、後述するダイレクトメール（書簡）に添付する視聴情報記載カードの裏面に貼り付ける情報や、後述するハガキに貼り付ける顧客の住所、宛名、さらには、本編の動画データの価格の情報も印刷される。
【０１０７】
「ダイレクトメール作成」の有無は、顧客、列席者（例えば両親や親戚）に本編の動画データを購入させるためのダイレクトメール（書簡）を作成したか否かを意味する。
【０１０８】
「手配書送付」の有無は、挙式日、新郎氏名、新婦氏名、会場名、会場住所、出発時間、到着時間、お支度アップ時間、挙式時間時間、披露宴開始時間等を記載した撮影手配書をカメラマンに送付したか否かを意味する。制御部１３は、管理者により「手配書送付」の欄の「手配書メールを送信する」アイコンＩＣ１６がクリックされると、撮影依頼手配書の印刷ファイルデータを添付して撮影のための情報を通知する手配書メールをカメラマンのメールアドレス〔担当者用マスターテーブルＴＢ１２におけるメールアドレス（図１８参照）〕に送信する。制御部１３は、管理者により「手配書送付」の欄の「撮影依頼手配書をＤＬ」アイコンＩＣ１７がクリックされると、撮影依頼手配書の印刷ファイルデータをダウンロードして手配書メールに添付する。
【０１０９】
「カメラマン最終確認」の有無は、カメラマンに撮影依頼手配書が届いていることを確認したか否かを意味し、「クライアント最終確認」の有無は、所定期間（例えば１週間以内）に予定されている案件の一覧表をクライアントに送付したか否かを意味する。
【０１１０】
「クライアント婚資受取」の有無は、管理者が婚礼資料（席次表、進行表といった婚礼に必要な書類等の資料）をクライアントから受け取ったか否かを意味し、「カメラマン婚資共有」の有無は、クライアントから受け取った婚礼資料をカメラマンと共有したか（渡したか）否かを意味する。
【０１１１】
ところで、ブライダルイベントの動画販売業務管理においては、ブライダルイベント（挙式）の前日にカメラマン本人から管理者に電話を掛けさせるようにしている。よって、「カメラマン本人確認」の有無は、ブライダルイベント（挙式）の前日にカメラマン本人から管理者に電話が掛かってきたか否かを意味する。その後、管理者は当日連絡用メールをブライダルイベント（挙式）の日より前（前日）又は当日にカメラマンに送信する。制御部１３は、管理者により「カメラマン本人確認」の欄の「当日連絡用メールを送信する」アイコンＩＣ１８がクリックされると、当日連絡用メールをカメラマンのメールアドレス〔担当者用マスターテーブルＴＢ１２におけるメールアドレス（図１８参照）〕に送信する。
【０１１２】
≪ブライダルイベントの当日のカメラマンの業務進捗状況≫
ところで、ブライダルイベントの当日にカメラマンが病気などの体調不良や不慮の事故等により撮影できない場合が考えられる。
【０１１３】
この点、本実施の形態において、動画販売業務情報ＷＩは、ブライダルイベントの当日にカメラマンが行う業務の当日進捗状況を示すカメラマン当日業務進捗情報を含んでいる。情報処理制御手段Ｑ３は、カメラマン当日業務進捗情報をカメラマンの当日進捗状況に関して管理可能に処理する。情報出力制御手段Ｑ４は、情報処理制御手段Ｑ３にて処理したカメラマン当日業務進捗情報を出力する。こうすることで、ブライダルイベントの当日にカメラマンが病気などの体調不良や不慮の事故等により撮影できない場合でも、欠員を生じさせることなく、別のカメラマンを確実に手配することができる。
【０１１４】
本実施の形態において、情報処理制御手段Ｑ３は、カメラマン当日業務進捗情報に関して当日の複数の業務をそれぞれ完了したことを逐一連絡する連絡用ページを開くための連絡用ＵＲＬを生成し、生成した連絡用ＵＲＬをブライダルイベントの日より前（前日）又は当日にカメラマンのメールアドレスに送信する当日連絡用メールに付加する。情報処理制御手段Ｑ３は、当日連絡用メールに付加された連絡用ＵＲＬで連絡用ページを開いてカメラマン当日業務進捗情報に関して当日の複数の業務をそれぞれ完了したことを逐一設定可能とされている。こうすることで、カメラマンの当日の業務進捗状況を明確に把握することができる。
【０１１５】
詳しくは、カメラマン当日業務進捗情報は、カメラマンがブライダルイベントの会場へ出発したことを示す出発情報（図３Ｅに示す案件用マスターテーブルＴＢ１のカメラマン当日出発のフラグ）と、カメラマンが会場に到着したことを示す到着情報（図３Ｅに示す案件用マスターテーブルＴＢ１のカメラマン当日到着のフラグ）と、カメラマンが撮影を終了したことを示す終了情報（図３Ｅに示す案件用マスターテーブルＴＢ１のカメラマン当日終了のフラグ）とを含んでいる。
【０１１６】
図２８Ａは、カメラマン出発連絡用ページＰＧａを示す正面図である。情報処理制御手段Ｑ３は、カメラマン出発連絡用ＵＲＬを生成する。カメラマン出発連絡用ＵＲＬは、出発情報〔カメラマン当日出発のフラグ（図３Ｅ参照）〕に関して業務を完了（会場に向けて出発）したことを連絡するカメラマン出発連絡用ページＰＧａ（リソース）のインターネットＮＴ上の場所を特定してカメラマン出発連絡用ページＰＧａを開くためものである。情報処理制御手段Ｑ３は、生成したカメラマン出発連絡用ＵＲＬを当日連絡用メールに付加する。情報処理制御手段Ｑ３は、カメラマンの端末装置２０（スマートフォン）の表示装置３０において当日連絡用メールに付加されたカメラマン出発連絡用ＵＲＬでカメラマン出発連絡用ページＰＧａを開いて出発情報の完了を設定可能に表示する。つまり、カメラマンは、ブライダルイベント（挙式）の当日、会場に向けて出発したときに、端末装置２０（スマートフォン）の表示装置３０において、受信した当日連絡用メールにおけるカメラマン出発連絡用ＵＲＬをタッチ操作すると、図２８Ａに示すカメラマン出発連絡用ページＰＧａが開くので、カメラマン出発連絡用ページＰＧａの「出発」アイコンＩＣ１９をタッチ操作すると、制御部１３は、カメラマン当日出発のフラグをオンすると共にオンした日時を登録する。こうすることで、管理者は、カメラマンが当日に会場へ出発したか否かを明確に把握することができる。例えば、出発情報（カメラマン当日出発のフラグ）が未完了（オフ）の場合には、管理者は、カメラマンに連絡してカメラマンに出発を促すことができる。
【０１１７】
図２８Ｂは、カメラマン到着連絡用ページＰＧｂを示す正面図である。情報処理制御手段Ｑ３は、カメラマン到着連絡用ＵＲＬを生成する。カメラマン到着連絡用ＵＲＬは、到着情報〔カメラマン当日到着のフラグ（図３Ｅ参照）〕に関して業務を完了（会場に到着）したことを連絡するカメラマン到着連絡用ページＰＧｂ（リソース）のインターネットＮＴ上の場所を特定してカメラマン到着連絡用ページＰＧｂを開くためものである。情報処理制御手段Ｑ３は、生成したカメラマン到着連絡用ＵＲＬを当日連絡用メールに付加する。情報処理制御手段Ｑ３は、カメラマンの端末装置２０（スマートフォン）の表示装置３０において当日連絡用メールに付加されたカメラマン到着連絡用ＵＲＬでカメラマン到着連絡用ページＰＧｂを開いて到着情報の完了を設定可能に表示する。つまり、カメラマンは、ブライダルイベント（挙式）の当日、会場に到着したときに、端末装置２０（スマートフォン）の表示装置３０において、受信した当日連絡用メールにおけるカメラマン到着連絡用ＵＲＬをタッチ操作すると、図２８Ｂに示すカメラマン到着連絡用ページＰＧｂが開くので、カメラマン到着連絡用ページＰＧｂの「到着」アイコンＩＣ２０をタッチ操作すると、制御部１３は、カメラマン当日到着のフラグをオンすると共にオンした日時を登録する。こうすることで、管理者は、カメラマンが当日に会場に到着したか否かを明確に把握することができる。例えば、到着情報（カメラマン当日到着のフラグ）が未完了（オフ）の場合には、管理者は、カメラマンに連絡してカメラマンの移動状況を確認することができる。
【０１１８】
図２８Ｃは、カメラマン撮影終了連絡用ページＰＧｃを示す正面図である。情報処理制御手段Ｑ３は、カメラマン撮影終了連絡用ＵＲＬを生成する。カメラマン撮影終了連絡用ＵＲＬは、終了情報〔カメラマン当日終了のフラグ（図３Ｅ参照）〕に関して業務を完了（撮影を終了）したことを連絡するカメラマン撮影終了連絡用ページＰＧｃ（リソース）のインターネットＮＴ上の場所を特定してカメラマン撮影終了連絡用ページＰＧｃを開くためものである。情報処理制御手段Ｑ３は、生成したカメラマン撮影終了連絡用ＵＲＬを当日連絡用メールに付加する。情報処理制御手段Ｑ３は、カメラマンの端末装置２０（スマートフォン）の表示装置３０において当日連絡用メールに付加されたカメラマン撮影終了連絡用ＵＲＬでカメラマン撮影終了連絡用ページＰＧｃを開いて終了情報の完了を設定可能に表示する。つまり、カメラマンは、ブライダルイベント（挙式）の当日、撮影が終了したときに、端末装置２０（スマートフォン）の表示装置３０において、受信した当日連絡用メールにおけるカメラマン撮影終了連絡用ＵＲＬをタッチ操作すると、図２８Ｃに示すカメラマン撮影終了連絡用ページＰＧｃが開くので、カメラマン撮影終了連絡用ページＰＧｃの「終了」アイコンＩＣ２１をタッチ操作すると、制御部１３は、カメラマン当日終了のフラグをオンすると共にオンした日時を登録する。こうすることで、管理者は、カメラマンが当日に撮影を終了したか否かを明確に把握することができる。例えば、終了情報（カメラマン当日終了のフラグ）が未完了（オフ）の場合には、管理者は、カメラマンに連絡してブライダルイベントの進行状況を確認することができる。
【０１１９】
なお、図２７に示す撮影進捗情報入力画面Ｇ６ａにおいて、管理者は、撮影進捗情報として、「当日出発」の有無、「当日到着」の有無、「当日終了」の有無を入力することができる。「当日出発」、「当日到着」及び「当日終了」は、管理者により「チェックマーク」及び「×マーク」がクリックされることで、フラグのオンオフを切り替えることができる。
【０１２０】
すなわち、管理者により「無」を意味する「×マーク」がクリックされると、「有」を意味する「チェックマーク」に切り替えて表示し、案件用マスターテーブルＴＢ１（図３Ｅ参照）のクリックした項目に対応するフラグをオンすると共にオンした日時を登録する。一方、制御部１３は、管理者により「有」を意味する「チェックマーク」がクリックされると、「無」を意味する「×マーク」に切り替えて表示しかつ日時を非表示にし、案件用マスターテーブルＴＢ１（図３Ｅ参照）のクリックした項目に対応するフラグをオフすると共に日時を削除する。
【０１２１】
また、制御部１３は、終了情報（カメラマン当日終了のフラグ）が完了（オン）すると、図３Ｅに示す案件用マスターテーブルＴＢ１のステータス（進捗）を「販促」に移行させる。
【０１２２】
−販促進捗状況−
図２９は、販促の進捗情報を入力する販促進捗情報入力画面Ｇ６ｂを示す正面図である。管理者が販促の進捗情報を入力する場合、制御部１３は、図２５Ａ、図２５Ｂ、図２６Ａ、図２６Ｂ及び図２７に示す第３選択欄Ｓ３において、管理者により「販促進捗」がクリックされると、図２９に示す販促進捗情報入力画面Ｇ６ｂを表示する。
【０１２３】
販促進捗情報入力画面Ｇ６ｂでは、管理者は、販促進捗情報として、「素材到着」の有無、「素材確認・サンプル発注」の有無、「サンプル到着・確認・アップ」の有無、「ＤＭ作成」の有無、「ＤＭ発送」の有無、「ハガキ作成」の有無、「ハガキ発送」の有無、「最終ＴＥＬ」の有無、「ＬＯＳＴ」の有無を入力する。
【０１２４】
「素材到着」、「素材確認・サンプル発注」、「サンプル到着・確認・アップ」、「ＤＭ作成」、「ＤＭ発送」、「ハガキ作成」、「ハガキ発送」、「最終ＴＥＬ」及び「ＬＯＳＴ」は、管理者により「チェックマーク」及び「×マーク」がクリックされることで、フラグのオンオフを切り替えることができる。
【０１２５】
すなわち、販促進捗情報入力画面Ｇ６ｂにおいて、制御部１３は、管理者により「無」を意味する「×マーク」がクリックされると、「有」を意味する「チェックマーク」に切り替えて表示し、案件用マスターテーブルＴＢ１（図３Ｅ及び図３Ｆ参照）のクリックした項目に対応するフラグをオンすると共にオンした日時を登録する。一方、制御部１３は、管理者により「有」を意味する「チェックマーク」がクリックされると、「無」を意味する「×マーク」に切り替えて表示しかつ日時を非表示にし、案件用マスターテーブルＴＢ１（図３Ｅ及び図３Ｆ参照）のクリックした項目に対応するフラグをオフすると共に日時を削除する。
【０１２６】
ところで、生動画データ（素材）をカメラマンによりインターネットＮＴ上に存在するドライブ共有ＵＲＬのリソースにアップロードさせるようにしている。また、その際には、カメラマンから管理者に素材をアップロードした旨のメールを送信させるようにしている。よって、「素材到着」の有無は、生動画データ（素材）が到着したか（アップロードされたか）否かを意味する。
【０１２７】
「素材確認・サンプル発注」の有無は、生動画データ（素材）の映像を確認してサンプル用動画データＳＰを作成（編集）する業者にサンプル用動画データＳＰの作成を依頼したか否かを意味する。制御部１３は、図２９に示す販促進捗情報入力画面Ｇ６ｂにおいて、管理者により「素材確認・サンプル発注」の欄の「発注メールを送信する」アイコンＩＣ２２がクリックされると、サンプル用動画データＳＰの作成を依頼する旨を通知するサンプル作成依頼メールを業者のメールアドレス〔業者用マスターテーブルＴＢ１１における送信先メールアドレス（図１７参照）〕に送信する。なお、サンプル作成依頼メールには、生動画データ（素材）をアップロードした場所を示すＵＲＬが記載されている。
【０１２８】
「サンプル到着・確認・アップ」の有無は、サンプル用動画データＳＰが到着し、管理者がサンプル用動画データＳＰの映像を確認して配信サーバー４０にアップロードしたか否かを意味する。
【０１２９】
情報処理制御手段Ｑ３は、図２９に示す販促進捗情報入力画面Ｇ６ｂにおいて、管理者により「サンプル到着・確認・アップ」の欄の「販促メールを送信する」アイコンＩＣ２３がクリックされると、完成通知用メールを顧客のメールアドレス〔案件用マスターテーブルＴＢ１におけるメールアドレス（図３Ａ、図３Ｂ参照）〕に送信する。また、このとき、情報処理制御手段Ｑ３は、案件用マスターテーブルＴＢ１に販促用メールアドレス（図３Ｄ参照）が存在する場合には、完成通知用メールを販促用メールアドレスにも送信する。
【０１３０】
図２９に示す販促進捗情報入力画面Ｇ６ｂにおいて、「ＤＭ作成」の有無は、本編の動画データの購入を促すダイレクトメール（書簡）を作成したか否かを意味する。「ＤＭ発送」の有無は、ブライダルイベント後、所定の時期にダイレクトメールを発送したか否かを意味する。「ハガキ作成」の有無は、本編の動画データの購入を促すハガキを作成したか否かを意味する。「ハガキ発送」の有無は、ブライダルイベント後、ダイレクトメールを発送した時期よりも遅い時期にハガキを発送したか否かを意味する。「最終ＴＥＬ」の有無は、本編の動画データの購入申込期限（例えばブライダルイベントの日から１ヶ月）直前に電話にて本編の動画データの購入を促したか否かを意味する。「ＬＯＳＴ」の有無は、本編の動画データの購入がないことが確定したか否かを意味する。
【０１３１】
また、制御部１３は、図６Ａに示す「お申込みはこちらから」アイコンＩＣ２の操作により本編の動画データの購入ページにおいて本編の動画データの購入を確認すると、図３Ｅに示す案件用マスターテーブルＴＢ１のステータス（進捗）を「製造」に移行させる。
【０１３２】
−製造進捗状況−
図３０は、製造の進捗情報を入力する製造進捗情報入力画面Ｇ６ｃを示す正面図である。管理者が製造の進捗情報を入力する場合、制御部１３は、図２５Ａ、図２５Ｂ、図２６Ａ、図２６Ｂ、図２７及び図２９に示す第３選択欄Ｓ３において、管理者により「製造進捗」がクリックされると、図３０に示す製造進捗情報入力画面Ｇ６ｃを表示する。なお、「購入」は「チェックマーク」が表示されたままで変更することができない。
【０１３３】
製造進捗情報入力画面Ｇ６ｃでは、管理者は、製造進捗情報として、「本編発注」の有無、「本編確認・焼付」の有無、「入金確認」の有無、「検品・梱包・発送」の有無を入力する。
【０１３４】
「本編発注」、「本編確認・焼付」、「入金確認」及び「検品・梱包・発送」は、管理者により「チェックマーク」及び「×マーク」がクリックされることで、フラグのオンオフを切り替えることができる。
【０１３５】
すなわち、製造進捗情報入力画面Ｇ６ｃにおいて、制御部１３は、管理者により「無」を意味する「×マーク」がクリックされると、「有」を意味する「チェックマーク」に切り替えて表示し、案件用マスターテーブルＴＢ１（図３Ｆ参照）のクリックした項目に対応するフラグをオンすると共にオンした日時を登録する。一方、制御部１３は、管理者により「有」を意味する「チェックマーク」がクリックされると、「無」を意味する「×マーク」に切り替えて表示しかつ日時を非表示にし、案件用マスターテーブルＴＢ１（図３Ｆ参照）のクリックした項目に対応するフラグをオフすると共に日時を削除する。
【０１３６】
「本編発注」の有無は、生動画データ（素材）の映像から本編の動画データを作成（編集）する業者に本編の動画データの作成を依頼したか否かを意味する。制御部１３は、管理者により「本編発注」の欄の「本編作成依頼メールを送信する」アイコンＩＣ２４がクリックされると、本編の動画データを納品の際に必要な項目を確認するための専用納品書（チェックシート）の印刷ファイルデータを添付して本編の動画データの作成を依頼する旨を通知する本編作成依頼メールを業者のメールアドレス〔業者用マスターテーブルＴＢ１１における送信先メールアドレス（図１７参照）〕に送信する。なお、本編作成依頼メールには、生動画データ（素材）をアップロードした場所を示すＵＲＬが記載されている。制御部１３は、管理者により「本編発注」の欄の「専用納品書をＤＬ」アイコンＩＣ２５がクリックされると、専用納品書の印刷ファイルデータをダウンロードして本編作成依頼メールに添付する。
【０１３７】
「本編確認・焼付」の有無は、本編の動画データが到着し、管理者が本編の動画データの映像を確認して記録媒体（記録ディスク）に焼き付けたか否かを意味する。「入金確認」の有無は、本編の動画データの購入者からの入金があったか否かを意味する。「検品・梱包・発送」の有無は、本編の動画データを検査し、梱包し、購入者に発送したか否かを意味する。なお、検品・梱包・発送は入金確認後に行う。制御部１３は、管理者により「検品・梱包・発送」の欄の「納品兼発送連絡メールを送信する」アイコンＩＣ２６がクリックされると、商品を発送した旨を通知する納品兼発送連絡メールをクライアントのメールアドレス〔クライアントメール用マスターテーブルＴＢ５における送信先メールアドレス（図１１参照）〕に送信する。
【０１３８】
＜動画販売業務情報の利用＞
以上説明したように、動画販売業務情報ＷＩが制御部１３によりブライダルイベントの動画販売業務に関して管理可能に処理されるが、管理者は、制御部１３にて処理された動画販売業務情報ＷＩを次のように利用することができる。
【０１３９】
−撮影段階−
図３１は、撮影ステータスでの撮影業務の未完了件数を表した撮影段階未完了件数画面Ｇ７ａを示す正面図である。制御部１３は、第１選択欄Ｓ１において、管理者により「撮影」がクリックされると、図３１に示す撮影段階未完了件数画面Ｇ７ａにおいて撮影段階での未完了の件数を表示する。すなわち、当日撮影の欄には、当日撮影の総残数、未出発件数、未到着件数及び未終了（未撮影終了）が表示される。また、直近撮影の欄には、現時点から直近（挙式範囲）の３週間における１週間毎の総残数、業者未登録件数、ＣＡＭ（カメラマン）未登録件数、婚資（婚礼資料）未共有件数及び本人未確認件数が表示される。
【０１４０】
図３２は、撮影ステータスでの進捗状況を表した撮影進捗状況画面Ｇ７ｂを示す正面図である。図３２に示すように、制御部１３は、第４選択欄Ｓ４において、管理者により「全ての撮影案件」、「ＬＯＳＴ済」、「業者登録」、「ＣＡＭ登録」、「当日封筒作成」、「ＤＭ作成」、「ＣＡＭ撮影確認」、「クライアント最終確認」、「クライアント婚礼資料受取」、「ＣＡＭ婚礼資料共有」及び「ＣＡＭ本人確認」のうち何れか１つがクリックされると、クリックされた項目のうち未完了のものを表示欄Ｄ２に表示する。表示欄Ｄ２には、挙式日、両家名、式場名（クライアント名）、撮影業者名（カメラマン名）、当日封筒作成の有無、ＤＭ作成の有無、手配書送付の有無、ＣＡＭ最終確認の有無、ＣＬＩ（クライアント）最終確認の有無、ＣＡＭ婚資（カメラマン婚礼資料）共有の有無、ＣＡＭ（カメラマン）本人確認の有無、カメラマンの当日の出発の有無、到着の有無、撮影の終了の有無及びエリア名が表示される。また、制御部１３は、撮影進捗状況画面Ｇ７ｂの上部において、「挙式日」、「新郎名、新婦名」、「エリア（選択して下さい）」、「クライアント（選択して下さい）」、「式場（選択して下さい）」、「撮影業者（選択して下さい）」及び「カメラマン（選択して下さい）」のうち少なくとも１つの項目を受け付ける。制御部１３は、管理者により「検索する」アイコンＩＣ４ａがクリックされると、受け付けた項目をキーワードとして表示欄Ｄ２に表示した案件（顧客）の情報から検索して抽出した内容を表示欄Ｄ２に一覧表示する。制御部１３は、管理者により「クリア」アイコンＩＣ４ｂがクリックされると、受け付けた項目をクリアする。
【０１４１】
−販促（販売促進）段階−
図３３Ａ及び図３３Ｂは、販促ステータスでの販促業務の未完了件数を表した販促段階未完了件数画面Ｇ８ａ，Ｇ８ｂを示す正面図である。制御部１３は、第１選択欄Ｓ１において、管理者により「促進」がクリックされると、図３３Ａに示す販促段階未完了件数画面Ｇ８ａ〔サンプル制作（素材到着〜配信サーバーアップ）〕において販促段階での未完了の件数を表示する。すなわち、現時点から直近（挙式範囲）の３週間における１週間毎及びそれ以前の総残数、素材未到着件数、素材未確認サンプル未発注件数、サンプル未到着確認・未アップ件数及びＤＭ未作成件数が表示される。図３３Ｂに示す販促段階未完了件数画面Ｇ８ｂ〔販促（ＤＭ作成〜最終ＴＥＬ）〕において販促段階での未完了の件数を表示する。すなわち、現時点から直近（挙式範囲）の５週間における１週間毎及びそれ以前の総残数、ＤＭ未作成件数、ＤＭ未発送件数、ハガキ未作成件数、ハガキ未発送件数及び未最終ＴＥＬ件数が表示される。
【０１４２】
図３４は、販促ステータスでの進捗状況を表した販促進捗状況画面Ｇ８ｃを示す正面図である。図３４に示すように、制御部１３は、第５選択欄Ｓ５において、管理者により「全ての販促案件」、「ＬＯＳＴ済」、「素材到着」、「素材確認・サンプル発注」、「サンプル到着・確認・アップ」、「ＤＭ作成」、「ＤＭ発送」、「ハガキ作成」、「ハガキ発送」及び「最終ＴＥＬ」のうち何れか１つがクリックされると、クリックされた項目のうち未完了のものを表示欄Ｄ３に表示する。表示欄Ｄ３には、挙式日、両家名、式場名（クライアント名）、撮影業者名（カメラマン名）、サンプル業者名（スタッフ名）、素材到着の有無、サンプル発注の有無、サンプルアップの有無、ＤＭ（ダイレクトメール）作成の有無、ＤＭ発注の有無、ハガキ作成の有無、ハガキ発送の有無、最終ＴＥＬの有無及びＬＯＳＴ済の有無が表示される。また、制御部１３は、販促進捗状況画面Ｇ８ｃの上部において、「挙式日」、「新郎名、新婦名」、「備考」、「クライアント（選択して下さい）」、「式場（選択して下さい）」、「撮影業者（選択して下さい）」、「カメラマン（選択して下さい）」、「サンプル業者（選択して下さい）」及び「サンプル担当者（選択して下さい）」のうち少なくとも１つの項目を受け付ける。制御部１３は、管理者により「検索する」アイコンＩＣ４ａがクリックされると、受け付けた項目をキーワードとして表示欄Ｄ３に表示した案件（顧客）の情報から検索して抽出した内容を表示欄Ｄ３に一覧表示する。制御部１３は、管理者により「クリア」アイコンＩＣ４ｂがクリックされると、受け付けた項目をクリアする。
【０１４３】
−製造段階−
図３５Ａ及び図３５Ｂは、製造ステータスでの製造業務の未完了件数を表した製造段階未完了件数画面Ｇ９ａ，Ｇ９ｂを示す正面図である。制御部１３は、第１選択欄Ｓ１において、管理者により「製造」がクリックされると、図３５Ａに示す製造段階未完了件数画面Ｇ９ａ（製造）において製造段階での未完了の件数を表示する。すなわち、現時点から直近（お客様納期範囲）の４週間における１週間毎及びそれ以前の総残数、本編未発注件数及び本編未確認未焼付件数が表示される。図３５Ｂに示す製造段階未完了件数画面Ｇ９ｂ（入金・発送）において製造段階での未完了の件数を表示する。すなわち、現時点から直近（お客様納期範囲）の６週間における１週間毎及びそれ以前の総残数、入金未確認件数及び未検品・未梱包未発送件数が表示される。
【０１４４】
図３６は、製造ステータスでの進捗状況を表した製造進捗状況画面Ｇ９ｃを示す正面図である。図３６に示すように、制御部１３は、第６選択欄Ｓ６において、管理者により「全ての製造案件」、「ＬＯＳＴ済」、「発送済み」、「本編発注」、「本編確認・焼付」、「入金確認」及び「検品・梱包・発送」のうち何れか１つがクリックされると、クリックされた項目のうち未完了のものを表示欄Ｄ４に表示する。表示欄Ｄ４には、納期、お客様納期、購入注文日、挙式日、両家名、式場名（クライアント名）、撮影業者名（カメラマン名）、本編業者名（スタッフ名）、本編発注の有無、本編確認焼付の有無、入金確認の有無、検品・梱包発注の有無が表示される。また、制御部１３は、製造進捗状況画面Ｇ９ｃの上部において、「お客様納期」、「納期」、「新郎名、新婦名」、「備考」、「クライアント（選択して下さい）」、「式場（選択して下さい）」、「撮影業者（選択して下さい）」、「カメラマン（選択して下さい）」、「本編業者（選択して下さい）」及び「本編担当者（選択して下さい）」のうち少なくとも１つの項目を受け付ける。制御部１３は、管理者により「検索する」アイコンＩＣ４ａがクリックされると、受け付けた項目をキーワードとして表示欄Ｄ４に表示した案件（顧客）の情報から検索して抽出した内容を表示欄Ｄ４に一覧表示する。制御部１３は、管理者により「クリア」アイコンＩＣ４ｂがクリックされると、受け付けた項目をクリアする。また、制御部１３は、管理者により「この条件でダウンロード」アイコンＩＣ２７がクリックされると、抽出した顧客の製造情報をテキストデータ（例えば表計算ソフトの表計算ファイルデータやワープロソフトのワープロデータ）としてダウンロードする。
【０１４５】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１４６】
１      ブライダルイベント動画販売業者
２      配信サービス事業者
１０    管理サーバー
１１    ネットワーク通信部
１２    記憶部
１３    制御部
２０    端末装置
３０    表示装置
４０    配信サーバー
１００  ブライダルイベント動画販売業務管理システム
ＤＢ    データベース
ＮＴ    インターネット
Ｐ      ブライダルイベント動画販売業務管理プログラム
ＰＧ    視聴用ページ
ＰＧａ  カメラマン出発連絡用ページ
ＰＧｂ  カメラマン到着連絡用ページ
ＰＧｃ  カメラマン撮影終了連絡用ページ
Ｑ１    受付処理制御手段
Ｑ２    保存制御手段
Ｑ３    情報処理制御手段
Ｑ４    情報出力制御手段
ＳＰ    サンプル用動画データ
ＷＩ    動画販売業務情報
【図１】
2020106956.tif 000003
【図２】
2020106956.tif 000004
【図３Ａ】
2020106956.tif 000005
【図３Ｂ】
2020106956.tif 000006
【図３Ｃ】
2020106956.tif 000007
【図３Ｄ】
2020106956.tif 000008
【図３Ｅ】
2020106956.tif 000009
【図３Ｆ】
2020106956.tif 000010
【図４】
2020106956.tif 000011
【図５Ａ】
2020106956.tif 000012
【図５Ｂ】
2020106956.tif 000013
【図６Ａ】
2020106956.tif 000014
【図６Ｂ】
2020106956.tif 000015
【図６Ｃ】
2020106956.tif 000016
【図７】
2020106956.tif 000017
【図８】
2020106956.tif 000018
【図９】
2020106956.tif 000019
【図１０】
2020106956.tif 000020
【図１１】
2020106956.tif 000021
【図１２】
2020106956.tif 000022
【図１３】
2020106956.tif 000023
【図１４】
2020106956.tif 000024
【図１５】
2020106956.tif 000025
【図１６】
2020106956.tif 000026
【図１７】
2020106956.tif 000027
【図１８】
2020106956.tif 000028
【図１９】
2020106956.tif 000029
【図２０】
2020106956.tif 000030
【図２１】
2020106956.tif 000031
【図２２Ａ】
2020106956.tif 000032
【図２２Ｂ】
2020106956.tif 000033
【図２３】
2020106956.tif 000034
【図２４Ａ】
2020106956.tif 000035
【図２４Ｂ】
2020106956.tif 000036
【図２４Ｃ】
2020106956.tif 000037
【図２４Ｄ】
2020106956.tif 000038
【図２５Ａ】
2020106956.tif 000039
【図２５Ｂ】
2020106956.tif 000040
【図２６Ａ】
2020106956.tif 000041
【図２６Ｂ】
2020106956.tif 000042
【図２７】
2020106956.tif 000043
【図２８Ａ】
2020106956.tif 000044
【図２８Ｂ】
2020106956.tif 000045
【図２８Ｃ】
2020106956.tif 000046
【図２９】
2020106956.tif 000047
【図３０】
2020106956.tif 000048
【図３１】
2020106956.tif 000049
【図３２】
2020106956.tif 000050
【図３３Ａ】
2020106956.tif 000051
【図３３Ｂ】
2020106956.tif 000052
【図３４】
2020106956.tif 000053
【図３５Ａ】
2020106956.tif 000054
【図３５Ｂ】
2020106956.tif 000055
【図３６】
2020106956.tif 000056